(57)【特許請求の範囲】
【請求項１】
外部から、企業を特定する企業特定情報と販売に関する電子レシート情報の受取先を特定する電子レシート特定情報と販売に関する特典サービスの受取先を特定する特典特定情報を関連付ける関連付け信号を受信したことを判断する受信判断手段と、
前記企業特定情報と前記電子レシート特定情報と前記特典特定情報を入力する入力手段と、
前記受信判断手段が前記関連付け信号を受信したことを判断した場合、前記入力手段が入力した前記企業特定情報と前記電子レシート特定情報と前記特典特定情報とを関連付けた関連付け情報を生成して記憶する関連付け手段と、
を備えたサーバー。
【請求項２】
前記企業特定情報で特定される企業に係る企業サーバに対し、前記関連付け情報を送信する送信手段と、を備えた、請求項１記載のサーバー。
【請求項３】
販売に関する電子レシート情報の受取先を特定する電子レシート特定情報を入力する電子レシート特定情報入力手段と、
販売に関する特典サービスの受取先を特定する特典特定情報を入力する特典特定情報入力手段と、
店舗を運営する企業を特定する企業特定情報を記憶する記憶手段と、
関連付けを指示する指示手段と、
前記指示手段による関連付けの指示があると、前記電子レシート特定情報と前記特典特定情報と前記企業特定情報と関連付けを指示する指示情報とを一連のデータとしてサーバーに送信する関連付け情報送信手段と、
を備えた販売データ処理装置。
【請求項４】
前記電子レシート特定情報入力手段により前記電子レシート特定情報が入力された場合、前記関連付け情報を記憶する企業サーバに対し、前記電子レシート特定情報を送信する電子レシート特定情報送信手段と、
前記企業サーバから前記特典特定情報を受信する特典特定情報受信手段と、
この特典特定情報受信手段により受信した前記特典特定情報が特定する受取先に前記特典サービスを提供する特典提供手段と、
を備えた請求項３記載の販売データ処理装置。
【請求項５】
前記特典特定情報は、販売金額に応じて付与されるポイントの付与先を特定する、
請求項３または４に記載の販売データ処理装置。
【請求項６】
前記特典特定情報入力手段により前記特典特定情報が入力された場合、前記関連付け情報を記憶する企業サーバに対し、前記特典特定情報を送信する特典特定情報送信手段と、
前記企業サーバから前記電子レシート特定情報を受信する電子レシート特定情報受信手段と、
この電子レシート特定情報受信手段により受信した前記電子レシート特定情報に関連付けて前記電子レシート情報を生成して送信する電子レシート情報送信手段と、
を備えた請求項３に記載の販売データ処理装置。
【請求項７】
サーバーをコンピュータによって制御するためのプログラムであって、
前記コンピュータを、
外部から、企業を特定する企業特定情報と販売に関する電子レシート情報の受取先を特定する電子レシート特定情報と販売に関する特典サービスの受取先を特定する特典特定情報を関連付ける関連付け信号を受信したことを判断する受信判断手段と、
前記企業特定情報と前記電子レシート特定情報と前記特典特定情報を入力する入力手段と、
前記受信判断手段が前記関連付け信号を受信したことを判断した場合、前記入力手段が入力した前記企業特定情報と前記電子レシート特定情報と前記特典特定情報とを関連付けた関連付け情報を生成して記憶する関連付け手段と、
として機能させるためのプログラム。
【請求項８】
販売データ処理装置をコンピュータによって制御するためのプログラムであって、
前記コンピュータを、
販売に関する電子レシート情報の受取先を特定する電子レシート特定情報を入力する電子レシート特定情報入力手段と、
販売に関する特典サービスの受取先を特定する特典特定情報を入力する特典特定情報入力手段と、
店舗を運営する企業を特定する企業特定情報を記憶する記憶手段と、
関連付けを指示する指示手段と、
前記指示手段による関連付けの指示があると、前記電子レシート特定情報と前記特典特定情報と前記企業特定情報と関連付けを指示する指示情報とを一連のデータとしてサーバーに送信する関連付け情報送信手段と、
として機能させるためのプログラム。
【発明の詳細な説明】
【技術分野】
【０００１】
本発明の実施形態は、サーバー、販売データ処理装置およびプログラムに関する。
【背景技術】
【０００２】
従来、商品決済時に店舗から買物をした顧客に渡されるレシートあるいは領収書を電子的に顧客の携帯端末等に受け渡す電子レシートという仕組みが知られている。
【０００３】
このようにレシートを電子データにすることによって、例えば、顧客は自身が携帯する携帯端末の表示部で電子レシートを閲覧することができる。また、家計簿も電子的に自動的に簿記ができるなど顧客にとって有益である。また、電子レシートを導入することにより、レシート用紙の消費を減らすことができるため、導入店舗にとっても有益である。店舗は、携帯端末等の媒体で顧客を特定し、特定した顧客に対して電子レシート情報を送信している。
【０００４】
一方、店舗を経営する企業は、顧客獲得の一環として、ポイントを付与する等の特典を提供するサービスを提供している。これらの特典サービスは、企業と契約した会員に対してされるため、企業は、会員が携帯するポイントカード等の媒体で顧客を特定し、特定した顧客に対してポイントを付与している。
【０００５】
しかしながら、従来は、電子レシートを受け取る顧客を特定する情報と特典サービスを受ける顧客を特定する情報との連携はなく、顧客は、電子レシートを受け取るときは携帯端末等の顧客端末を提示し、ポイント付与の特典サービスを受けるときはポイントカード等の会員媒体を提示して対応していた。
【発明の概要】
【発明が解決しようとする課題】
【０００６】
本発明が解決しようとする課題は、電子レシートを受け取る受取先を特定する情報と特典サービスを受ける受取先を特定する情報とを連携させたサービスを可能にしたサーバー、販売データ処理装置およびプログラムを提供することである。
【課題を解決するための手段】
【０００７】
実施形態のサーバーは、外部から、企業を特定する企業特定情報と販売に関する電子レシート情報の受取先を特定する電子レシート特定情報と販売に関する特典サービスの受取先を特定する特典特定情報を関連付ける関連付け信号を受信したことを判断する受信判断手段と、前記企業特定情報と前記電子レシート特定情報と前記特典特定情報を入力する入力手段と、前記受信判断手段が前記関連付け信号を受信したことを判断した場合、前記入力手段が入力した前記企業特定情報と前記電子レシート特定情報と前記特典特定情報とを関連付けた関連付け情報を生成して記憶する関連付け手段と、を備える。
【０００８】
実施の形態の販売データ処理装置は、販売に関する電子レシート情報の受取先を特定する電子レシート特定情報を入力する電子レシート特定情報入力手段と、販売に関する特典サービスの受取先を特定する特典特定情報を入力する特典特定情報入力手段と、店舗を運営する企業を特定する企業特定情報を記憶する記憶手段と、関連付けを指示する指示手段と、前記指示手段による関連付けの指示があると、前記電子レシート特定情報と前記特典特定情報と前記企業特定情報と関連付けを指示する指示情報とを一連のデータとしてサーバーに送信する関連付け情報送信手段と、を備える。
【０００９】
実施形態のプログラムは、サーバーをコンピュータによって制御するためのプログラムであって、前記コンピュータを、外部から、企業を特定する企業特定情報と販売に関する電子レシート情報の受取先を特定する電子レシート特定情報と販売に関する特典サービスの受取先を特定する特典特定情報を関連付ける関連付け信号を受信したことを判断する受信判断手段と、前記企業特定情報と前記電子レシート特定情報と前記特典特定情報を入力する入力手段と、前記受信判断手段が前記関連付け信号を受信したことを判断した場合、前記入力手段が入力した前記企業特定情報と前記電子レシート特定情報と前記特典特定情報とを関連付けた関連付け情報を生成して記憶する関連付け手段と、して機能させる。
【００１０】
実施形態のプログラムは、販売データ処理装置をコンピュータによって制御するためのプログラムであって、前記コンピュータを、販売に関する電子レシート情報の受取先を特定する電子レシート特定情報を入力する電子レシート特定情報入力手段と、販売に関する特典サービスの受取先を特定する特典特定情報を入力する特典特定情報入力手段と、店舗を運営する企業を特定する企業特定情報を記憶する記憶手段と、関連付けを指示する指示手段と、前記指示手段による関連付けの指示があると、前記電子レシート特定情報と前記特典特定情報と前記企業特定情報と関連付けを指示する指示情報とを一連のデータとしてサーバーに送信する関連付け情報送信手段と、して機能させる。
【図面の簡単な説明】
【００１３】
【図１】図１は、実施形態にかかる電子レシートシステムの構成全体を示す構成図である。
【図２】図２は、顧客の会員登録における画面の表示例を示す遷移図である。
【図３】図３は、ＰＯＳ端末の要部構成を示すブロック図である。
【図４】図４は、ストアサーバの要部構成を示すブロック図である。
【図５】図５は、本部サーバの要部構成を示すブロック図である。
【図６】図６は、本部サーバのポイントマスタを示すメモリマップである。
【図７】図７は、電子レシート管理サーバの要部構成を示すブロック図である。
【図８】図８は、電子レシート管理サーバの記憶部に記憶されたＳＲＩＤの例を示す図である。
【図９】図９は、携帯端末の要部構成を示すブロック図である。
【図１０】図１０は、レシートデータの一例を模式的に示す図である。
【図１１】図１１は、電子レシートの一例を模式的に示す図である。
【図１２】図１２は、ＰＯＳ端末における機能ブロック図である。
【図１３】図１３は、ＰＯＳ端末における制御処理の流れを示すフローチャートである。
【図１４】図１４は、ＰＯＳ端末における関連付け処理の流れを示すフローチャートである。
【図１５】図１５は、ＰＯＳ端末における会員ＩＤ問合せ処理の流れを示すフローチャートである。
【図１６】図１６は、ＰＯＳ端末におけるＰＴＩＤ問合せ処理の流れを示すフローチャートである。
【図１７】図１７は、ＰＯＳ端末における決済処理の流れを示すフローチャートである。
【図１８】図１８は、ＰＯＳ端末におけるカード選択処理の流れを示すフローチャートである。
【図１９】図１９は、ストアサーバ２における制御処理の流れを示すフローチャートである。
【図２０】図２０は、本部サーバにおける電子レシート管理処理及び情報送信処理の流れを示すフローチャートである。
【図２１】図２１は、電子レシート管理サーバにおける機能ブロック図である。
【図２２】図２２は、電子レシート管理サーバにおける電子レシート情報の管理処理の流れを示すフローチャートである。
【図２３】図２３は、携帯端末における電子レシート受け取り処理及び電子レシート閲覧処理の流れを示すフローチャートである。
【発明を実施するための形態】
【００１４】
以下、本実施の実施形態を図面に基づいて説明する。
【００１５】
以降、図１〜図２３を用いて、実施形態について説明する。図１は、実施形態にかかる電子レシートシステムの構成全体を示す構成図である。図１に示すように、電子レシートシステムは、販売データ処理装置であるＰＯＳ（Point  of  Sales）端末１と、企業サーバであるストアサーバ２と、企業サーバである本部サーバ３と、電子レシート管理サーバ４と、プロモーション設定端末５と、プロモーション管理サーバ６と、顧客を特定するための顧客端末の一例である携帯端末７とを有する。
【００１６】
ＰＯＳ端末１とストアサーバ２とは、店舗Ｐ１内に設けられ、ＬＡＮ（Local  Area  Network）等の店舗内ネットワークＮ１を介して通信可能に接続される。また、ＰＯＳ端末１とストアサーバ２は、店舗内ネットワークＮ１に接続されたルータ等のネットワーク機器（図示せず）を介して、店舗Ｐ１と本部Ｐ２とを繋ぐネットワークＮ２に接続することが可能である。ここで、ネットワークＮ２は、例えば、インターネットやＶＰＮ（Virtual  Private  Network）等の専用線である。
【００１７】
ＰＯＳ端末１は、販売データ処理を実行する販売データ処理装置である。ＰＯＳ端末１は、決済対象の商品の取引内容を含むレシートデータを生成し、当該レシートデータを後述する印字部１３で印字することで紙レシートを出力する。また、ＰＯＳ端末１は、レシートデータのデータ形式を変換した電子レシート情報を、ネットワークＮ３を介して電子レシート管理サーバ４に出力（送信）する。電子レシート情報の送信方法は特に問わず、ＨＴＴＰやＨＴＴＰＳ等の汎用プロトコルを用いてもよい。また、ネットワークＮ３は、例えば、インターネットやＶＰＮ等の専用線である。
【００１８】
企業サーバであるストアサーバ２は、ＰＯＳ端末１で行われる商品販売データ処理等の管理を統括的に行う。例えば、ストアサーバ２は、ＰＯＳ端末１の商品販売データ処理で生成された商品販売データを記憶し管理し、商品販売データ処理に用いる商品データファイル等を記憶・管理する。
【００１９】
なお、本実施形態では、ＰＯＳ端末１が電子レシート情報を出力する構成を説明するが、これに限らず、ＰＯＳ端末１で生成されたレシートデータを、ストアサーバ２や図示しない変換装置がデータ形式を変換することで電子レシート情報を生成し、生成した電子レシート情報を電子レシート管理サーバ４に出力する構成としてもよい。
【００２０】
企業サーバである本部サーバ３は、店舗またはチェーン店舗（以下、店舗という）を運営する企業の本部Ｐ２に設けられており、店舗を運営する企業毎の各種情報を管理する。
【００２１】
また、本部サーバ３は、各ＰＯＳ端末１からの各種情報をネットワークＮ２を介して受信する。本部サーバ３は、例えば、店舗を運営する企業の売上管理、売上分析、在庫管理などの機能を有する。  
【００２２】
また、本部サーバ３は、ポイントマスタ８ａを備えている。ポイントマスタ８ａは、各店舗のＰＯＳ端末１で発生した顧客のポイント情報を受信して累積して記憶し管理する。ポイントマスタ８ａは、後述するＰＴＩＤ毎に、顧客が現在使用可能なポイント値（数）を記憶して管理する。
【００２３】
サーバーである電子レシート管理サーバ４は、電子レシートセンターＰ３に設けられる。電子レシートセンターＰ３は、例えば、本部サーバ３を管理する企業以外の第三者機関である。なお、本部サーバ３についても第三者機関等が管理してもよい。
【００２４】
電子レシート管理サーバ４は、店舗を運営する各種企業の電子レシート情報を一括に管理する顧客用レシート管理サーバとして機能する。電子レシート管理サーバ４は、後述する手順等により会員登録を行った各顧客（会員）の氏名や顧客コードである電子レシート情報の受取先を特定する会員ＩＤ、電子レシート情報の受取先情報等の会員データを、データベースＤＢに保持された会員マスタに記憶・管理する。なお、電子レシート管理サーバ４とは別に、会員データの記憶・管理を行う会員管理サーバ等を設ける構成としてもよい。
【００２５】
また、電子レシート管理サーバ４は、ＰＯＳ端末１から送信された電子レシート情報を、ネットワークＮ３を介して受信し、この電子レシート情報をデータベースＤＢに保持された後述する電子レシート管理領域４３ａに記憶し管理する。より詳細には、電子レシート情報は、商品の取引内容（商品販売データ）の他、会員ＩＤ等の要素を含み、対応する会員の会員データと対応付けて管理される。
【００２６】
また、電子レシート管理サーバ４は、後述するネットワークＮ４を介して接続されるプロモーション設定端末５から、特定の商品のキャンペーンに係るキャンペーン情報等の付加情報を受信し、この付加情報をデータベースＤＢに保持された後述する付加情報管理領域４３ｂに記憶し管理する。より詳細には、付加情報は、データベースＤＢに記憶された電子レシート情報が含む要素のうち、所定の条件に該当する要素に対応付けて管理される。
【００２７】
また、電子レシート管理サーバ４は、データベースＤＢに電子レシート情報を記憶すると、この電子レシート情報の会員ＩＤに対応付けされた受取先情報を参照することで、受取先を特定する。受取先情報とは、会員ＩＤやパスワードをいう。そして、電子レシート管理サーバ４は、後述するネットワークＮ５を介して、データベースＤＢに記憶した電子レシート情報をその受取先に送信する。なお、電子レシート情報に付加情報が対応付けされている場合には、この付加情報についても受取先に送信する。
【００２８】
また、電子レシート管理サーバ４は、後述するネットワークＮ５を介して接続される携帯端末７から、会員ＩＤを指定する電子レシート照会を受け付けると、当該会員ＩＤに対応する電子レシート情報をデータベースＤＢから抽出することで、顧客は、受取先が指定する携帯端末７を用いて電子レシート情報の閲覧が可能となる。なお、電子レシート情報に付加情報が対応付けされている場合、顧客は、この付加情報についても照会があった携帯端末７を用いて閲覧が可能となる。
【００２９】
電子レシート管理サーバ４は、電子レシート情報を受け取る受取先を特定するための会員ＩＤを含む電子レシート情報を閲覧させるための情報（以降「ＳＲＩＤ」という）を記憶する。このＳＲＩＤには、各企業が、特典であるポイントを付与するために発行したポイントカードを特定するＩＤ（以降「ＰＴＩＤ」という）を記憶する。このため、ＳＲＩＤに含まれる会員ＩＤとＳＲＩＤに記憶されたＰＴＩＤとが関連付けられる。
【００３０】
なお、電子レシート管理サーバ４は、会員ＩＤと電子レシート情報の受取先を対応付けて記憶する会員マスタ（図示せず）を記憶している。そのため、ＳＲＩＤに含まれる会員ＩＤに基づいて会員マスタを検索することで、当該会員に対する電子レシート情報の受取先が特定される。
【００３１】
プロモーション設定端末５とプロモーション管理サーバ６とは、消費財メーカーＰ４等に設けられる。プロモーション設定端末５は、ＰＣ（Personal  Computer）等の端末装置であって、ネットワークＮ４を介して、電子レシート管理サーバ４に付加情報を送信する。ここで、ネットワークＮ４は、例えば、インターネットやＶＰＮ等の専用線である。また、付加情報の送信方法は特に問わず、ＨＴＴＰやＨＴＴＰＳ等の汎用プロトコルを用いてもよい。
【００３２】
携帯端末７は、本システムの利用者（顧客）が使用する、例えばスマートフォン、携帯電話機、ＰＤＡ（Personal  Digital  Assistant）、タブレット型コンピュータ等の端末装置である。携帯端末７は、ネットワークＮ５上で提供される各種情報を閲覧するためのＷｅｂブラウザ等のアプリケーションを実装する。なお、携帯端末７に代えて、ＰＣ等の端末装置を適用してもよい。
【００３３】
携帯端末７は、ネットワークＮ５を介して電子レシート管理サーバ４にアクセスすることで、本システムへの会員登録を行う。ここで、ネットワークＮ５は、インターネットや、各種公衆網である。
【００３４】
ところで、本システムでの顧客の会員登録は、例えば次のような手順で行われる。顧客は、携帯端末７からネットワークＮ５を介して電子レシート管理サーバ４に対して空メールを送信する。電子レシート管理サーバ４は、受信したメールアドレスに会員登録のためのページを示すＵＲＬ（Uniform  Resource  Locator）を送信する。顧客は、携帯端末７から会員登録のためのページを示すＵＲＬにアクセスして会員登録に必要な事項（氏名、受取先情報等）を入力させる入力画面を表示させる。顧客による必要事項の入力終了後、電子レシート管理サーバ４は、会員マスタに対する会員登録を実行する。その後、電子レシート管理サーバ４は、携帯端末７に対して会員ＩＤおよびパスワードを含む会員登録完了メールを配信する。これにより、会員登録が終了する。
【００３５】
上述のような会員登録が終了すると、携帯端末７は、図２に示すように、会員ＩＤが含まれたバーコードや二次元コード等のコードシンボルＣＳを表示部７３に表示する。
【００３６】
顧客は、店舗Ｐ１における取引決済時に店員に対して携帯端末７に表示されたコードシンボルＣＳを提示する。店員は、携帯端末７に表示されたコードシンボルＣＳをＰＯＳ端末１に接続された例えばスキャナで構成されたコード読取部１５（図３参照）で読み取る。これにより、ＰＯＳ端末１における商品販売処理による決済後に生成される電子レシート情報に対して顧客の会員ＩＤを対応付けることが可能になっている。
【００３７】
また、顧客は、ＰＯＳ端末１での決済（取引）後、電子レシート管理サーバ４から送信される当該取引の電子レシート情報を、携帯端末７で、ネットワークＮ５を介して閲覧することができる。携帯端末７は、会員ＩＤをネットワークＮ５を介して電子レシート管理サーバ４に送信し、当該会員の電子レシート情報を電子レシート管理サーバ４から受信して電子レシート情報を、表示部７３に表示する。
【００３８】
係る構成の電子レシートシステムにおいては、店舗Ｐ１のＰＯＳ端末１で商品販売処理が行なわれて生成された取引（決済）の内容を示す電子レシート情報が、ＰＯＳ端末１から電子レシート管理サーバ４に伝送され、Ｗｅｂ上に公開される。したがって、Ｗｅｂブラウザを実装してなる携帯端末７は、ＵＲＬ（Uniform  Resource  Locator）を指定することにより、Ｗｅｂ上に公開された電子レシート情報を携帯端末７にダウンロードしてＷｅｂブラウザで閲覧することができる。なお、携帯端末７に電子レシート情報を閲覧するためのアプリケーションをインストールして閲覧するようにしてもよい。
【００３９】
次に、本実施形態の電子レシートシステムを構築する主要な装置の構成について説明する。
【００４０】
まず、販売データ処理装置であるＰＯＳ端末１について説明する。図３は、ＰＯＳ端末１の構成を示すブロック図である。図３に示すように、ＰＯＳ端末１は、各種演算やＰＯＳ端末１の各部を統括的に制御する制御部１１を備えている。制御部１１は、ＣＰＵ（Central  Processing  Unit）、各種プログラムやデータを記憶するＲＯＭ（Read  Only  Memory）、各種プログラムを一時的に記憶したり各種データを書き換え自在に記憶するＲＡＭ（Random  Access  Memory）、現在の日時を計時するＲＴＣ（Real  Time  Clock）部等によって構成されるコンピュータである。
【００４１】
制御部１１は、バス１８を介して操作部１２、印字部１３、表示部１４及びコード読取部１５に接続されている。
【００４２】
操作部１２は、オペレータが操作入力を行うための各種の操作キーを有している。操作キーとしては、例えば、数値を入力するための置数キー、所定の項目を選択するためのカーソルキーや選択決定キー、取引における売上登録が行われる商品の合計出力を指示する小計キー、一取引の締め処理を行って代金を決済することを宣言する締めキー等が設けられている。
【００４３】
操作部１２は、締めキー１２１、関連付けキー１２２、送信キー１２３等のキーを配置したキーボードを備えている。締めキー１２１は、顧客との取引を終了するときに操作するキーである。関連付けキー１２２は、会員ＩＤとＰＴＩＤとを関連付けるために、会員ＩＤとＰＴＩＤとを入力するときに操作するキーである。実施形態では、会員ＩＤは、顧客が携帯する携帯端末７（顧客端末）に記憶されている。またＰＴＩＤは、当該顧客が携帯するポイントカード（会員媒体）に記憶されている。
【００４４】
送信キー１２３は、入力された会員ＩＤとＰＴＩＤとを、電子レシート管理サーバ４に送信するときに操作されるキーである。
【００４５】
印字部１３は、レシートやジャーナル等の印字を行うプリンタ装置で構成される。印字部１３は、例えば発熱体を有するサーマルヘッドで搬送されるロール用紙に印字を行い、その後用紙をカットしてレシートを発行する。
【００４６】
表示部１４は、例えば液晶ディスプレイ等であり、販売登録された商品の品名、価格、決済が宣言された一取引の合計金額、釣銭額等の各種情報を表示する。表示部１４は、キャッシャ向けに各種情報を表示するオペレータ用ディスプレイ１４ａと、顧客向けに各種情報を表示する客用ディスプレイ１４ｂとを備える。なお、表示部１４をタッチパネル構成としてもよく、この場合、タッチパネルは操作部１２として機能する。
【００４７】
コード読取部１５は、例えばバーコードや二次元コード等のコードシンボルを光学的に読み取るスキャナ装置である。コード読取部１５は、例えば、商品に付されたコードシンボルや、携帯端末７に表示されたコードシンボル等を読み取り、制御部１１は、読み取った当該コードシンボルに保持された情報を入力する。なお、商品に付されたコードシンボルには、その商品を特定するための商品コード等が保持されているとする。また、携帯端末７に表示されるコードシンボルには、その携帯端末７を携帯する顧客を特定するための会員ＩＤ等が保持されているとする。なお、会員ＩＤは、携帯端末７に磁気的あるいは電気的に記憶されていてもよい。この場合、記憶されている会員ＩＤを、専用の読取装置で読み取る。制御部１１は、読み取った会員ＩＤを入力する。
【００４８】
また、制御部１１は、バス１８を介して通信Ｉ／Ｆ（インターフェース）１６に接続されており、この通信Ｉ／Ｆ１６を介して店舗内ネットワークＮ１やネットワークＮ２や、ネットワークＮ３に接続することが可能となっている。
【００４９】
また、制御部１１は、バス１８を介して、記憶部１７に接続されている。記憶部１７は、例えばＨＤＤ（Hard  Disk  Drive）やＳＳＤ（Solid  State  Drive）等の補助記憶装置である。記憶部１７は、商品販売データ処理を含む各種のＰＯＳ業務を実行するためのプログラムを記憶する。また、記憶部１７は、各商品の商品名、商品コード及び単価等の商品データを格納した商品データファイル等の商品販売データ処理に係る各種データファイルを記憶する。また、記憶部１７は、商品販売処理や電子レシート情報に係る処理を行うためのレシートデータ処理プログラム１７ａを記憶する。
【００５０】
また、記憶部１７は、自己のＰＯＳ端末１を他のＰＯＳ端末１と識別するためのＰＯＳナンバー、企業コード（店舗を運営する企業を特定するための識別コード）、業種・業態コード、当該ＰＯＳ端末１が設置される店舗Ｐ１を示す店舗コード等を、識別コード管理領域１７ｂに記憶する。ここで、業種・業態コードは、例えば、コンビニエンスストア、スーパーマーケット、百貨店、薬局、レストラン、飲食店などとして、店舗の業種・業態を区別するコード（分類コード）である。なお、このような業種・業態は、ユーザの好みによって任意に変更可能である。また、企業コード、業種・業態コードについては、ストアサーバ２または本部サーバ３に登録されていてもよい。
【００５１】
次に、ストアサーバ２の構成を、図４を用いて説明する。ストアサーバ２は、各種演算やストアサーバ２の各部を統括的に制御する制御部２１を備えている。制御部２１は、ＣＰＵ、各種プログラムやデータを記憶するＲＯＭ、各種プログラムを一時的に記憶したり各種データを書き換え自在に記憶するＲＡＭ、現在の日時を計時するＲＴＣ部等によって構成されるコンピュータである。
【００５２】
制御部２１は、バス２６に接続された通信Ｉ／Ｆ２４を介して、店舗内ネットワークＮ１およびネットワークＮ２に接続することが可能となっている。また、制御部２１は、バス２６を介して、表示部２２、操作部２３、記憶部２５に接続されている。表示部２２は、各種情報を表示する。
【００５３】
記憶部２５は、店舗Ｐ１における商品販売情報を記憶する商品販売情報部２５ａ、本部サーバ３から送信された、関連付けされた会員ＩＤとＰＴＩＤと含むＳＲＩＤを記憶するポイント部２５ｂ、本部サーバ３から送信された種々の情報を記憶する情報記憶部２５ｃを備えている。また、記憶部２５は、ストアサーバを制御するための制御プログラムを記憶する。なお、ポイント部２５ｂには、電子レシート管理サーバ４の電子レシート管理領域４３ａに記憶されたＳＲＩＤ（すなわち図７に記載されたＳＲＩＤ）のうち、本部サーバ３が設置された企業のＳＲＩＤが、本部サーバ３を介して送信されて記憶されている。
【００５４】
次に、企業用のサーバとして機能する本部サーバ３のハードウェア構成を、図５のブロック図を用いて説明する。本部サーバ３は、各種演算や各店舗で発生したポイントを統括的に制御する制御部３１を備えている。制御部３１は、ＣＰＵ、各種プログラムやデータを記憶するＲＯＭ、各種プログラムを一時的に記憶したり各種データを書き換え自在に記憶するＲＡＭ、現在の日時を計時するＲＴＣ部等によって構成されるコンピュータである。
【００５５】
制御部３１は、バス３４に接続された通信Ｉ／Ｆ３２を備えており、この通信Ｉ／Ｆを介して、ネットワークＮ２やネットワークＮ３に接続することが可能となっている。また、制御部３１は、バス３４を介して記憶部３３に接続されている。
【００５６】
また、記憶部３３は、販売された商品の決済情報に基づいて発生したポイント値をＰＴＩＤごとに記憶するポイントマスタ８ａを記憶する。
【００５７】
図６は、ポイントマスタ８ａを示すメモリマップである。図６において、ポイントマスタ８ａは、ＰＴＩＤ部８ａ１、会員情報部８ａ２、ポイント部８ａ３、企業コード部８ａ４を備えている。ＰＴＩＤ部８ａ１は、当該ポイント会員が携帯するポイントカードを特定する特典特定情報を記憶する。会員情報部８ａ２は、当該会員の種々の情報（氏名、住所、年齢、性別、家族構成等）を記憶する。ポイント部８ａ３は、当該ポイントカードを使用して現在蓄積されているポイント値（数）を記憶する。企業コード部８ａ４は、ＰＴＩＤで特定されるポイントカードを発行した企業の企業コードを記憶する。
【００５８】
次に、顧客用レシート管理サーバとして機能する電子レシート管理サーバ４の構成を、図７のブロック図を用いて説明する。図７に示すように、電子レシート管理サーバ４は、各種演算や電子レシート管理サーバ４の各部を統括的に制御する制御部４１を備えている。制御部４１は、ＣＰＵ、各種プログラムやデータを記憶するＲＯＭ、各種プログラムを一時的に記憶したり各種データを書き換え自在に記憶するＲＡＭ、現在の日時を計時するＲＴＣ部等によって構成されるコンピュータである。
【００５９】
制御部４１は、バス４４に接続された通信Ｉ／Ｆ４２を介して、ネットワークＮ３、ネットワークＮ４及びネットワークＮ５に接続することが可能となっている。また、制御部４１は、バス４４を介して、記憶部４３に接続されている。
【００６０】
記憶部４３には、会員マスタを記憶・管理するための会員マスタ管理領域（図示せず）の他、店舗を運営する各種企業の電子レシート情報を一括に記憶するための電子レシート管理領域４３ａが確保されている。より詳細には、電子レシート管理領域４３ａは、店舗を運営する各種企業の電子レシート情報を会員毎に管理する。
【００６１】
電子レシート情報は、会員ＩＤ、企業コード、店舗コード、ＰＯＳ端末１のＰＯＳナンバー、レシートナンバー、商品販売データ（商品コード、日時データを含む）などを含んでいる。したがって、例えば消費財メーカーＰ４等は、当該メーカーに関連する一意な購入商品の証明情報を、この電子レシート情報から特定条件の下（例えば、店舗を運営する特定の企業限定、特定の地域限定、特定の時間限定等）に取得することが可能になる。なお、消費財メーカーＰ４は、食料品、飲料、衣類、化粧品、薬品、生活雑貨などのメーカーである。
【００６２】
また、記憶部４３は、所望の商品（商品コード）、会員（会員ＩＤ）、企業（企業コード）、店舗（店舗コード）に対応付けて各種の付加情報を付加情報管理領域４３ｂに記憶する。ここで、付加情報とは、例えば、所望の商品情報及び特定条件（例えば、店舗を運営する特定の企業、特定の地域、特定の店舗、特定の時間等）に対応付けられるキャンペーンにかかるキャンペーン情報等である。付加情報は、例えば企業のキャンペーンに関連付けられたホームページにリンクするＵＲＬ、企業のＣＭに関連付けられたホームページにリンクするＵＲＬ、企業のクーポンにリンクするＵＲＬなどのアクセス情報を含む。
【００６３】
また、記憶部４３は、会員マスタを会員マスタ領域で管理するための会員管理プログラム（図示せず）の他、各企業の電子レシート情報及び付加情報を電子レシート管理領域４３ａ及び付加情報管理領域４３ｂで管理するための電子レシート管理プログラム４３ｃを記憶する。電子レシート管理プログラム４３ｃは、図８で説明するＳＲＩＤを各企業の本部サーバ３に送信する機能を有する。また、記憶部４３は、電子レシート情報及び所望の商品の付加情報を携帯端末７へ送信するための情報送信プログラム４３ｄを記憶する。
【００６４】
次に、図８を用いて、電子レシート管理サーバ４の電子レシート管理領域４３ａに記憶されたＳＲＩＤ（関連付け情報）について説明する。
【００６５】
図８において、電子レシート管理領域４３ａは、ＳＲＩＤ４３ａ１〜ＳＲＩＤ４３ａｎを備えている。そして例えばＳＲＩＤ４３ａ１は、フラグ部４３ａ１１、会員ＩＤ部４３ａ１２、企業コード部４３ａ１３、オプションフラグ部４３ａ１４を有している。
【００６６】
フラグ部４３ａ１１は、ＳＲＩＤ４３ａ１がＳＲＩＤであることを示す数字「９９」を記憶している。会員ＩＤ部４３ａ１２は、会員登録した際に付与された、会員を特定する会員ＩＤを記憶する。企業コード部４３ａ１３は、ポイントカードを発行した企業を特定する企業コードを記憶する。オプションフラグ部４３ａ１４は、任意の情報を記憶可能であるが、例えば企業コード部４３ａ１３で特定された企業が発行したポイントカードのＰＴＩＤを記憶する。
【００６７】
同様に、ＳＲＩＤ４３ａ２は、フラグ部４３ａ２１、会員ＩＤ部４３ａ２２、企業コード部４３ａ２３、オプションフラグ部４３ａ２４を有している。ＳＲＩＤ４３ａｎは、フラグ部４３ａｎ１、会員ＩＤ部４３ａｎ２、企業コード部４３ａｎ３、オプションフラグ部４３ａｎ４を有している。
【００６８】
なお、同一の企業のＳＲＩＤに対してすでに記憶されているＰＴＩＤと異なる新たなＰＴＩＤが入力された場合は、当該入力されたＰＴＩＤを対応するオプションフラグ部４３ａ１４に上書き記憶する。
【００６９】
次に、携帯端末７の構成を、図９のブロック図を用いて説明する。図９に示すように、携帯端末７は、各種演算や携帯端末７の各部を統括的に制御する制御部７１を備えている。制御部７１は、ＣＰＵ、各種プログラムやデータを記憶するＲＯＭ、各種プログラムを一時的に記憶したり各種データを書き換え自在に記憶するＲＡＭ、現在の日時を計時するＲＴＣ部等によって構成されるコンピュータである。
【００７０】
操作部７２は、バス７６を介して表示部７３に接続されている。操作部７２は、ユーザ（顧客）が操作入力を行うための各種の操作キーや、ポインティングデバイスを有している。表示部７３は、例えば液晶ディスプレイ等であり、後述する電子レシート情報等の各種情報を表示する。なお、表示部７３をタッチパネル構成としてもよく、この場合、タッチパネルは操作部７２として機能する。
【００７１】
また、制御部７１は、バス７６を介して通信Ｉ／Ｆ７４に接続されており、この通信Ｉ／Ｆ７４を介してネットワークＮ５に接続することが可能となっている。なお、通信Ｉ／Ｆ７４を介して、店舗内ネットワークＮ１に接続可能な構成としてもよい。
【００７２】
また、制御部７１は、バス７６を介して、記憶部７５に接続されている。記憶部７５は、Ｗｅｂ上に公開されている各種情報（コンテンツ）を閲覧するためのＷｅｂブラウザの他、電子レシート管理サーバ４から電子レシート情報を受け取るための電子レシート対応プログラム７５ａと、受け取った電子レシート情報を閲覧するための電子レシート閲覧プログラム７５ｂとを記憶する。
【００７３】
次に、本実施形態のシステムを構成する各部の制御処理について説明する。
【００７４】
まず、ＰＯＳ端末１の制御部１１がレシートデータ処理プログラム１７ａに従って制御することにより実行される電子レシート処理について、図１０〜図１８を参照しつつ説明する。
【００７５】
図１０は、レシートデータの一例を模式的に示す図である。ここで、レシートデータは、非構造化形式のテキストデータ等であって、印字部１３での印字に用いられるものである。図１０に示すように、レシートデータは、上述した商品販売データＤ１や会員ＩＤＤ２の要素を含んでいる。ここで、商品販売データＤ１は、決済の対象となった商品の商品名（商品コード）とその金額、各商品の合計金額、顧客が支払った預かり金額、お釣り金額等を有する。
【００７６】
また、レシートデータは、店舗を運営する企業を示す企業コード（企業名）Ｄ３、店舗コード（店舗名）Ｄ４、店舗の電話番号Ｄ５、住所Ｄ６、取引日時Ｄ７、取引ナンバー（レシートナンバー）Ｄ８、レジナンバーＤ９、担当者名Ｄ１０等の要素を含む。なお、レシートデータに含まれる要素は、図１０の例に限らず、業種・業態コード等の他の要素を含んでもよいし、電話番号Ｄ５や住所Ｄ６等の要素を取り除いてもよい。
【００７７】
また、図１１は、電子レシート情報の一例を模式的に示す図である。図１１に示すように、電子レシート情報は、ＸＭＬやＣＳＶ等の構造化形式のデータ（構造化文書）で構成される。なお、図１１では、図１０に示したレシートデータの各要素（Ｄ１〜Ｄ１０）を、ＸＭＬ形式に変換した例を示している。
【００７８】
レシートデータから電子レシート情報への変換は、図示しないレシートデータスキーマに記述された変換規則に基づき行われる。具体的に、レシートデータスキーマには、レシートデータを構成する所定の要素と、その要素の属性を示す属性情報（タグ等）とが定義されている。制御部１１は、レシートデータの各要素を対応する属性情報を用いて構造化することで、図１１に示すような構造化形式の電子レシート情報を生成する。このような、構造化形式の電子レシート情報とすることで、当該電子レシート情報に含まれる要素を効率的に利用することができるため、データ管理の上で様々な利点を得ることができる。
【００７９】
図１２は、ＰＯＳ端末１の制御部１１が、レシートデータプログラム１７ａに従って動作することにより実行される処理の機能ブロック図である。制御部１１は、記憶部１７からレシートデータ処理プログラム１７ａを読み出して実行することにより、電子レシート特定情報入力手段１１１、特典特定情報入力手段１１２、指示手段１１３、関連付け情報送信手段１１４、電子レシート特定情報送信手段１１５、特典特定情報受信手段１１６、特典提供手段１１７、特典特定情報送信手段１１８、電子レシート特定情報受信手段１１９、電子レシート情報送信手段１２０が実行される。
【００８０】
電子レシート特定情報入力手段１１１は、商品販売に関する電子レシート情報の受取先を特定する電子レシート特定情報（会員ＩＤ）を入力する機能を有する。
【００８１】
特典特定情報入力手段１１２は、商品販売に関する特典サービスの受取先を特定する特典特定情報（ＰＴＩＤ）を入力する機能を有する。
【００８２】
指示手段１１３は、関連付けを指示する機能を有する。
【００８３】
関連付け情報送信手段１１４は、指示手段１１３による指示があると、電子レシート特定情報（会員ＩＤ）と特典特定情報（ＰＴＩＤ）と企業を特定する企業特定情報（企業コード）とを関連付けた関連付け情報（ＳＲＩＤ）を生成するために、関連付けを指示する指示情報と電子レシート特定情報（会員ＩＤ）と特典特定情報（ＰＴＩＤ）と企業特定情報(企業コード)とを一連のデータとしてサーバー（電子レシート管理サーバ４）に送信する機能を有する。
【００８４】
電子レシート特定情報送信手段１１５は、電子レシート特定情報入力手段１１１により電子レシート特定情報（会員ＩＤ）が入力された場合、サーバー（電子レシート管理サーバ４）で生成した関連付け情報（ＳＲＩＤ）を記憶する企業サーバ（ストアサーバ２または本部サーバ３）に対し、電子レシート特定情報（会員ＩＤ）を送信する機能を有する。
【００８５】
特典特定情報受信手段１１６は、企業サーバ（ストアサーバ２または本部サーバ３）から特典特定情報（ＰＴＩＤ）を受信する機能を有する。
【００８６】
特典提供手段１１７は、この特典特定情報受信手段１１６により受信した特典特定情報（ＰＴＩＤ）が特定する受取先に特典を提供する機能を有する。
【００８７】
特典特定情報送信手段１１８は、特典特定情報入力手段１１２により特典特定情報（ＰＴＩＤ）が入力された場合、サーバー（電子レシート管理サーバ４）で生成した関連付け情報（ＳＲＩＤ）を記憶する企業サーバ（ストアサーバ２または本部サーバ３）に対し、特典特定情報（ＰＴＩＤ）を送信する機能を有する。
【００８８】
電子レシート特定情報受信手段１１９は、企業サーバ（ストアサーバ２または本部サーバ３）から電子レシート特定情報(会員ＩＤ)を受信する機能を有する。
【００８９】
電子レシート情報送信手段１２０は、電子レシート特定情報受信手段１１９により受信した電子レシート特定情報（会員ＩＤ）に関連付けて電子レシート情報を生成して送信する機能を有する。
【００９０】
図１３は、ＰＯＳ端末１における処理の流れを示すフローチャートである。まず、ＰＯＳ端末１の制御部１１（指示手段１１３）は、関連付けキー１２２が操作されたか否かを判断する（ステップＳ１１）。操作されたと判断した場合は（ステップＳ１１のＹｅｓ）、制御部１１は、図１４で示す会員ＩＤとＰＴＩＤとの関連付け処理を実行する（ステップＳ１２）。
【００９１】
関連付けキー１２２が操作されていないと判断した場合は（ステップＳ１１のＮｏ）、制御部１１は、コード読取部１５により、商品に付されたコードシンボルに含まれる商品コードが読み取られて入力されたか否かを判定する（ステップＳ２１）。商品コードが入力されたと判定すると（ステップＳ２１のＹｅｓ）、制御部１１は、当該商品コードに基づく商品登録処理を実行する（ステップＳ２２）。
【００９２】
商品コードが入力されていないと判断した場合は（ステップＳ２１のＮｏ）、制御部１１は、締めキー１２１が操作されたか否かを判断する（ステップＳ３１）。操作されたと判断した場合は（ステップＳ３１のＹｅｓ）、制御部１１は、図１７の決済処理を実行する（ステップＳ３２）。
【００９３】
操作されていないと判断した場合は（ステップＳ３１のＮｏ）、制御部１１は、会員ＩＤが入力されたか否かを判断する（ステップＳ２３１）。入力されたと判断した場合は（ステップＳ２３１のＹｅｓ）、制御部１１は、図１５の会員ＩＤ問合せ処理を実行する（ステップＳ２３２）。また、会員ＩＤが入力されていないと判断した場合は（ステップＳ２３１のＮｏ）、制御部１１は、ＰＴＩＤが入力されたか否かを判断する（ステップＳ２４１）。入力されたと判断した場合は（ステップＳ２４１のＹｅｓ）、制御部１１は、図１６で示すＰＴＩＤ問合せ処理を実行する（ステップＳ２４２）。一方、ＰＴＩＤが入力されていないと判断した場合は（ステップＳ２４１のＮｏ）、制御部１１は、ステップＳ１１に戻る。
【００９４】
図１４は、ステップＳ１２の関連付け処理を詳細に示すフローチャートである。まず制御部１１（電子レシート特定情報入力手段１１１）は、会員ＩＤが入力されたか否かを判断する（ステップＳ４１）。実施形態では、携帯端末７の表示部７３に表示されたバーコードをコード読取部１５で読み取って会員ＩＤを入力する。会員ＩＤが入力されたと判断した場合は（ステップＳ４１のＹｅｓ）、制御部１１は、入力された会員ＩＤを、制御部１１内のＲＡＭに記憶する（ステップＳ４２）。
【００９５】
会員ＩＤが入力されていないと判断した場合は（ステップＳ４１のＮｏ）、制御部１１は（特典特定情報入力手段１１２）、ＰＴＩＤが入力されたか否かを判断する（ステップＳ４３）。実施形態では、ＰＴＩＤは、会員が携帯するポイントカードに印刷されたバーコードをコード読取部１５で読み取って入力する。ＰＴＩＤが入力されたと判断した場合は（ステップＳ４３のＹｅｓ）、制御部１１は、入力されたＰＴＩＤを、当該ＰＴＩＤのポイントカードを発行した企業コードとともに制御部１１内のＲＡＭに記憶する（ステップＳ４４）。
【００９６】
会員ＩＤとＰＴＩＤとを入力した後、店員は送信キー１２３を操作する。制御部１１は、送信キー１２３が操作されたか否かを判断する（ステップＳ４５）。操作されたと判断した場合は（ステップＳ４５のＹｅｓ）、次に制御部１１は、会員ＩＤとＰＴＩＤの両方がＲＡＭに記憶されているか否かを判断する（ステップＳ４６）。
【００９７】
両方が記憶されていると判断した場合は（ステップＳ４６のＹｅｓ）、制御部１１（関連付け情報送信手段１１４）は、ＲＡＭに記憶されている会員ＩＤとＰＴＩＤとＰＯＳ端末１に記憶されている企業コードとを、関連付けて記憶することを指示する関連付けコマンドとともに、一連のデータとして対応付けて電子レシート管理サーバ４に送信する（ステップＳ４７）。次に制御部１１は、電子レシート管理サーバ４から、会員ＩＤとＰＴＩＤとの関連付けに関する情報を受信したか否かを判断する（ステップＳ４８）。
【００９８】
受信するまで待機し（ステップＳ４８のＮｏ）、受信したと判断した場合（ステップＳ４８のＹｅｓ）、制御部１１は、今回、会員ＩＤとＰＴＩＤとの関連付けが完了したか否かを判断する（ステップＳ４９）。完了したと判断した場合は（ステップＳ４９のＹｅｓ）、制御部１１は、表示部１４に、関連付けが完了したことを示すメッセージを表示する（ステップＳ５０）。また、今回、関連付けができなかったと判断した場合は（ステップＳ４９のＮｏ）、制御部１１は、すでに関連付けがされている場合や関連付けができなかった場合等の理由とともに、関連付けができなかったことを示すメッセージを表示する（ステップＳ５１）。
【００９９】
なお、ステップＳ４３でＰＴＩＤが入力されていないと判断した場合（ステップＳ４３のＮｏ）、ステップＳ４５で送信キー１２３が操作されていないと判断した場合（ステップＳ４５のＮｏ）、ステップＳ４６で会員ＩＤとＰＴＩＤの両方がＲＡＭに記憶されていないと判断した場合（ステップＳ４６のＮｏ）は、制御部１１はステップＳ４１に戻る。
【０１００】
次に、図１５を用いて、ステップＳ２３２で実行される会員ＩＤ問合せ処理について説明する。図１５において、制御部１１は、入力された会員ＩＤを記憶する（ステップＳ２３２１）。そして制御部１１（電子レシート特定情報送信手段１１５）は、記憶した会員ＩＤを、ＰＯＳ端末１に記憶されている企業コードとともにストアサーバ２に送信し、ＰＴＩＤの問合せをする（ステップＳ２３２２）。次に制御部１１（特典特定情報受信手段１１６）は、ストアサーバ２が送信した会員ＩＤに関連づけられたＰＴＩＤを受信したか否かを判断する（ステップＳ２３２３）。
【０１０１】
受信したと判断した場合は（ステップＳ２３２３のＹｅｓ）、制御部１１は、受信したＰＴＩＤを記憶する（ステップＳ２３２４）。そして制御部１１は、記憶したＰＴＩＤに基づいて、本部サーバ３のポイントマスタ８ａのポイント部８ａ３から該当する顧客のポイント値を読み出して記憶する（ステップＳ２３２５）。具体的には、記憶したＰＴＩＤに基づいて、本部サーバ３のポイントマスタ８ａに記憶されているＰＴＩＤに対応付けられて記憶しているポイント値を読み出して記憶する。また、ＰＴＩＤを受信していないと判断した場合は（ステップＳ２３２３のＮｏ）、制御部１１は、会員ＩＤに関連付けられたＰＴＩＤはないものとして処理を実行する（ステップＳ２３２６）。
【０１０２】
次に、図１６を用いて、ステップＳ２４２で実行されるＰＴＩＤ問合せ処理について説明する。図１６において、制御部１１は、入力されたＰＴＩＤを記憶する（ステップＳ２４２１）。そして制御部１１（特典特定情報送信手段１１８）は、記憶したＰＴＩＤを、ＰＯＳ端末１に記憶されている企業コードとともにストアサーバ２に送信し、会員ＩＤの問合せをする（ステップＳ２４２２）。次に制御部１１は、記憶したＰＴＩＤに基づいて、本部サーバ３のポイントマスタ８ａのポイント部８ａ３からポイント値を読み出して記憶する（ステップＳ２４２３）。
【０１０３】
次に制御部１１（電子レシート特定情報受信手段１１９）は、ストアサーバ２が送信したＰＴＩＤに関連付けられている会員ＩＤを受信したか否かを判断する（ステップＳ２４２４）。受信したと判断した場合は（ステップＳ２４２４のＹｅｓ）、制御部１１は、受信した会員ＩＤを記憶する（ステップＳ２４２５）。また、受信していないと判断した場合は（ステップＳ２４２４のＮｏ）、制御部１１は、当該ＰＴＩＤと関連付けられた会員ＩＤはないものとして処理を実行する（ステップＳ２４２６）。
【０１０４】
図１７は、ＰＯＳ端末１がステップＳ３２で実行する決済処理を詳細に示すフローチャートである。図１７において、制御部１１は、ステップＳ２２で実行した商品登録情報に基づいて決済処理を実行する（ステップＳ６１）。
【０１０５】
次に制御部１１は、ステップＳ２３２１またはステップＳ２４２５において、会員ＩＤが記憶されているか否かを判断する。（ステップＳ６２）。会員ＩＤが記憶されていると判断した場合は（ステップＳ６２のＹｅｓ）、制御部１１は、ステップＳ２３２４またはステップＳ２４２１において、ＰＴＩＤを記憶しているか否かを判断する（ステップＳ６３）。記憶していると判断した場合は（ステップＳ６３のＹｅｓ）、制御部１１は、図１８に示すカード選択処理を実行する（ステップＳ６４）。
【０１０６】
次に制御部１１は、記憶しているＰＴＩＤに基づいて、ステップＳ２３２５で記憶したポイント値を読み出す（ステップＳ６５）。そして制御部１１（特典提供手段１１７）は、ステップＳ６１の決済処理で算出した今回ポイント値を加算した累計ポイント値を計算し、この累計ポイント値をポイント部１７ｃ３に記憶する（ステップＳ６６）。すなわち、制御部１１は、特典の受取先に特典を提供する。そして制御部１１は、記憶したポイント値を含む情報を本部サーバ３のポイントマスタ８ａに送信する。また、制御部１１は、商品登録情報、決済情報、ポイント値、会員ＩＤ、企業コード等に基づいて電子レシート情報を生成する（ステップＳ６７）。そして制御部１１電子レシート情報送信手段１２０１）は、生成した電子レシート情報を電子レシート管理サーバ４に送信する（ステップＳ６８）。
【０１０７】
一方ステップＳ６２において、会員ＩＤが記憶されていないと判断した場合は（ステップＳ６２のＮｏ）、制御部１１は、ＰＴＩＤが記憶されているか否かを判断する（ステップＳ７１）。記憶されていると判断した場合は（ステップＳ７１のＹｅｓ）、制御部１１は、ステップＳ２４２３で記憶したポイントを読み出す（ステップＳ７３）。
【０１０８】
そして制御部１１は、ステップＳ７２で読み出したポイント値にステップＳ６１の決済処理で算出した今回ポイントを加算した累計ポイントを計算し、この累計ポイントをポイント部１７ｃ３に記憶する（ステップＳ８１）。すなわち、制御部１１は、特典の受取先に特典を提供する。そして制御部１１は、記憶したポイントを含む情報を本部サーバ３のポイントマスタ８ａに送信する（ステップＳ８２）。そして制御部１１は、ステップＳ６１の決済処理に基づいた情報を印字部１３で印字して、図９で示すようなレシートを発行する（ステップＳ８３）。
【０１０９】
次に、図１８を用いて、図１７のステップＳ６４で実行されるカード選択処理について説明する。図１８において、制御部１１は、記憶しているＰＴＩＤが２種類以上であるか否かを判断する（ステップＳ２３１）。例えば、ＰＯＳ端末１での商品の取引時に、顧客から携帯端末７に表示された会員ＩＤとポイントカードの両方が提示され、会員ＩＤがＰＯＳ端末１に入力され、この入力された会員ＩＤに関連付けられたＰＴＩＤを問い合わせて記憶し、この記憶されたＰＴＩＤと、カードが操作されて入力され記憶されたポイントカードのＰＴＩＤとが一致しない場合は、制御部１１は、記憶されているＰＴＩＤは２種類以上であると判断する。一致した場合はＰＴＩＤは１種類であると判断する。
【０１１０】
入力されているＰＴＩＤが一致せず２種類以上である判断した場合は（ステップＳ２３１のＹｅｓ）、制御部１１は、入力されているＰＴＩＤで特定されるすべてのポイントカードを、オペレータ用ディスプレイ１４ａと客用ディスプレイ１４ｂに表示する（ステップＳ２３２）。店員は、顧客に対して、いずれかのポイントカードを選択するよう要求する。顧客は、客用ディスプレイ１４ｂに表示された２種類以上のポイントカードを見て、顧客が希望するポイントカードをタッチして選択する。
【０１１１】
制御部１１は、いずれかのポイントカードが選択されたか否かを判断する（ステップＳ２３３）。選択されるまで待機し（ステップＳ２３３のＮｏ）、選択されたと判断した場合は（ステップＳ２３３のＹｅｓ）、制御部１１は、顧客が選択したポイントカードを選択し、選択されたポイントカードを特定するＰＴＩＤに基づいて、ポイントマスタ８ａからポイントを読み出して記憶する（ステップＳ２３４）。その後、制御部１１は、ステップＳ６５の処理、またはステップＳ７３の処理を実行する。また、入力されているＰＴＩＤが２種類以上ではない（すなわち１種類）と判断した場合は（ステップＳ２３１のＮｏ）、制御部１１は、ステップＳ２３２５またはステップＳ２４２３で記憶したポイント値を読み出す（ステップＳ２３４）。
【０１１２】
次に、図１９のフローチャートを用いて、ストアサーバ２の制御部２１が実行する制御処理について説明する。図１９において、制御部２１は、ＰＯＳ端末１から商品販売情報を受信したか否かを判断する（ステップＳ１５１）。商品販売情報を受信したと判断した場合は（ステップＳ１５１のＹｅｓ）、制御部２１は、商品販売情報部２５ａに受信した商品販売情報を累積して、店舗Ｐ１における商品販売情報を記憶する（ステップＳ１５２）。
【０１１３】
一方、ＰＯＳ端末１から商品販売情報を受信していないと判断した場合は（ステップＳ１５１のＮｏ）、制御部２１は、ＰＯＳ端末１から、ステップＳ２３２２の処理に伴う会員ＩＤを受信したか否かを判断する（ステップＳ１６１）。受信したと判断した場合は（ステップＳ１６１のＹｅｓ）、制御部２１は、ポイント部２５ｂに記憶した情報に基づいて、受信した会員ＩＤと企業コードに基づいて、会員ＩＤに関連するＰＴＩＤの存在を調査する（ステップＳ１６２）。そして制御部２１は、会員ＩＤに関連するＰＴＩＤがあるか否かを判断する（ステップＳ１６３）。
【０１１４】
関連するＰＴＩＤがあると判断した場合は（ステップＳ１６３のＹｅｓ）、制御部２１は、該当するＰＴＩＤをＰＯＳ端末１に送信する（ステップＳ１６４）。一方、関連するＰＴＩＤがないと判断した場合は（ステップＳ１６３のＮｏ）、制御部２１は、該当するＰＴＩＤがないことを示すエラーメッセージをＰＯＳ端末１に対して送信する（ステップＳ１６５）。
【０１１５】
また、会員ＩＤを受信していないと判断した場合は（ステップＳ１６１のＮｏ）、制御部２１は、ステップＳ２４２２の処理に伴うＰＴＩＤを受信したか否かを判断する（ステップＳ１９１）。受信したと判断した場合は（ステップＳ１９１のＹｅｓ）、制御部２１は、ポイント部２５ｂに記憶した情報に基づいて、受信したＰＴＩＤと企業コードに基づいて、ＰＴＩＤに関連する会員ＩＤの存在を調査する（ステップＳ１９２）。そして制御部２１は、ＰＴＩＤに関連する会員ＩＤがあるか否かを判断する（ステップＳ１９３）。
【０１１６】
関連する会員ＩＤがあると判断した場合は（ステップＳ１９３のＹｅｓ）、制御部２１は、該当する会員ＩＤをＰＯＳ端末１に送信する（ステップＳ１９４）。一方、関連する会員ＩＤがないと判断した場合は（ステップＳ１９３のＮｏ）、制御部２１は、該当する会員ＩＤがないことを示すエラーメッセージをＰＯＳ端末１に対して送信する（ステップＳ１９５）。
【０１１７】
また、ステップＳ１９１において、ＰＯＳ端末１から、ステップＳ６４の処理に伴う会員ＩＤを受信していないと判断した場合は（ステップＳ１６１のＮｏ）、制御部２１は、本部サーバ３を介して電子レシート管理サーバ４から、会員ＩＤとＰＴＩＤとを関連付けたＳＲＩＤを受信したか否かを判断する（ステップＳ１７１）。ＳＲＩＤを受信したと判断した場合は（ステップＳ１７１のＹｅｓ）、制御部２１は、受信したＳＲＩＤをポイント部２５ｂに記憶する（ステップＳ１７２）。
【０１１８】
また、本部サーバ３を介して電子レシート管理サーバ４から、会員ＩＤとＰＴＩＤとを関連付けたＳＲＩＤを受信していないと判断した場合は（ステップＳ１７１のＮｏ）、制御部２１は、本部サーバ３から種々の情報を受信したか否かを判断する（ステップＳ１８１）。種々の情報を受信したと判断した場合は（ステップＳ１８１のＹｅｓ）、制御部２１は、受信した情報を情報記憶部２５ｃに記憶する（ステップＳ１８２）。なお、ステップＳ１５２の処理後、ステップＳ１６４の処理後、ステップＳ１６５の処理後、ステップＳ１７２の処理後、ステップＳ１８２の処理後、ステップＳ１９５の処理後は、制御部２１はステップＳ１５１に戻る。また、ステップＳ１８１において、種々の情報を受信していないと判断した場合は（ステップＳ１８１のＮｏ）、制御部２１は、ステップＳ１５１に戻る。
【０１１９】
次に、本部サーバ３の制御部３１が、制御プログラム３３ｃに従って動作することにより実行されるポイント管理処理の流れを、図２０に示すフローチャートを参照しつつ説明する。
【０１２０】
本部サーバ３の制御部３１は、ＰＯＳ端末１から、入力され記憶されたＰＴＩＤに基づいてポイント値の問い合わせがあったか否かを判断する（ステップＳ９１）。受信したと判断した場合（ステップＳ９１のＹｅｓ）、記憶部３３は、ポイントマスタ８ａを調査して、当該ＰＴＩＤに対応してポイント部８ａ３に記憶されているポイント値を読み出す（ステップＳ９２）。そして読み出したポイント値を問い合わせがあったＰＯＳ端末１に送信する（ステップＳ９３）。
【０１２１】
また、ＰＯＳ端末１からポイント値の問い合わせがなかったと判断した場合は（ステップＳ９１のＮｏ）、制御部３１は、ＰＯＳ端末１からポイント値を受信したか否かを判断する（ステップＳ９４）。ポイント値を受信したと判断した場合は（ステップＳ９４のＹｅｓ）、制御部３１は、受信したポイント値を、同時に受信したＰＴＩＤに対応してポイント部８ａ３に記憶する（ステップＳ９５）。
【０１２２】
また、ＰＯＳ端末１からポイント値を受信していないと判断した場合は（ステップＳ９４のＮｏ）、制御部３１は、ＰＯＳ端末１から決済処理した商品の商品販売情報を受信したか否かを判断する（ステップＳ９６）。受信したと判断した場合は（ステップＳ９６のＹｅｓ）、制御部３１は、受信した商品販売情報を記憶部３３に記憶する（ステップＳ９７）。
【０１２３】
また、ステップＳ９６において、ＰＯＳ端末１から商品販売情報を受信していないと判断した場合は（ステップＳ９６のＮｏ）、制御部３１は、電子レシート管理サーバ４から会員ＩＤとＰＴＩＤとを関連付けたＳＲＩＤを受信したか否かを判断する（ステップＳ２００）。ＳＲＩＤを受信したと判断した場合は（ステップＳ２００のＹｅｓ）、制御部３１は、受信したＳＲＩＤをポイントマスタ８ａに記憶する（ステップＳ２０１）。そして、制御部３１は、記憶したＳＲＩＤをストアサーバ２に送信する（ステップＳ２０２）。ストアサーバ２は、受信したＳＲＩＤをポイント部２５ｂに記憶する。そして制御部３１はステップＳ１９１に戻る。また、ステップＳ２００において、会員ＩＤとＰＴＩＤとを関連付けたＳＲＩＤを受信していないと判断した場合は（ステップＳ２００のＮｏ）、制御部３１はステップＳ９１に戻る。
【０１２４】
図２１は、電子レシート管理サーバ４の制御部４１が、電子レシート管理プログラム４３ａに従って動作することにより実行される処理の機能ブロック図である。制御部４１は、記憶部４３から電子レシート管理プログラム４３ａを読み出して実行することにより、受信手段４１１、関連付け手段４１２、送信手段４１３を実行する。
【０１２５】
受信手段４１１は、外部から、企業を特定する企業特定情報（企業コード）と商品販売に関する電子レシート情報の受取先を特定する電子レシート特定情報（会員ＩＤ）と商品販売に関する特典サービスの受取先を特定する特典特定情報（ＰＴＩＤ）を受信する機能を有する。
【０１２６】
関連付け手段４１２は、受信手段４１１により受信した、企業特定情報（企業コード）と電子レシート特定情報（会員ＩＤ）と特典特定情報（ＰＴＩＤ）とを関連付けた関連付け情報（ＳＲＩＤ）を生成して記憶する機能を有する。
【０１２７】
送信手段４１３は、企業特定情報（企業コード）で特定される企業に係る企業サーバ（ストアサーバ２または本部サーバ３）に対し、前連付け情報（ＳＲＩＤ）を送信する機能を有する。
【０１２８】
図２２は、電子レシート管理サーバ４の制御処理を示すフローチャートである。図２２において、制御部４１（受信手段４１１）は、ＰＯＳ端末１から関連付けコマンドを受信したか否かを判断する（ステップＳ２１１）。受信したと判断した場合は（ステップＳ２１１のＹｅｓ）、制御部４１は、関連付けコマンドとともに、一連のデータとして対応付けられた会員ＩＤとＰＴＩＤの両方および企業コードを受信したか否かを判断する（ステップＳ２１２）。
【０１２９】
会員ＩＤとＰＴＩＤと企業コードとを受信したと判断した場合は（ステップＳ２１２のＹｅｓ）、制御部４１は、受信した会員ＩＤが含まれるＳＲＩＤが電子レシート管理領域４３ａに記憶されているか否かを判断する（ステップＳ２１３）。ＳＲＩＤが記憶されていると判断した場合は（ステップＳ２１３のＹｅｓ）、制御部４１は、対応するオプションフラグ部４３ａ１４に、会員ＩＤと関連付けられたＰＴＩＤが記憶されているか否かを判断する（ステップＳ２１４）。
【０１３０】
ＰＴＩＤが記憶されていないと判断した場合は（ステップＳ２１４４のＮｏ）、制御部４１（関連付け手段４１２）は、当該ＳＲＩＤのオプションフラグ部４３ａ１４にＰＴＩＤを記憶して会員ＩＤとＰＴＩＤとを関連付ける（ステップＳ２１５）。同時にステップＳ２１２で受信した一連のデータとして関連付けられた企業コードを、記憶したＳＲＩＤの企業コード部４３ａ１３に記憶して、会員ＩＤとＰＴＩＤと企業コードとを関連付けて記憶する（ステップＳ２１５）。
【０１３１】
次に制御部４１（送信手段４１３）は、ステップＳ２１５で関連付けて記憶した会員ＩＤとＰＴＩＤを含むＳＲＩＤを、企業コード部４３ａ１３に記憶した企業コードで特定される企業の本部サーバ３に送信する（ステップＳ２１６）。このＳＲＩＤを受信した本部サーバ３は、受信したＳＲＩＤを当該企業が運営するすべての店舗Ｐ１のストアサーバ２に送信する。そして制御部４１は、会員ＩＤとＰＴＩＤとの関連付けが完了したことを示す情報をＰＯＳ端末１に送信する（ステップＳ２１７）。
【０１３２】
また、すでにＰＴＩＤが記憶されていると判断した場合は（ステップＳ２１４のＹｅｓ）、制御部４１は、受信したＰＴＩＤを、当該ＰＴＩＤが存在するＳＲＩＤのオプションフラグ部に記憶し、すでに記憶されているＰＴＩＤを新たに受信したＰＴＩＤと置き換えて、電子レシート管理領域４３ａに記憶する（ステップＳ２１８）。このようにすることで、会員ＩＤと新たなＰＴＩＤとを関連付けする。
【０１３３】
また、ステップＳ２１３において、受信した会員ＩＤが含まれるＳＲＩＤが電子レシート管理領域４３ａのＳＲＩＤ部に記憶されていないと判断した場合は（ステップＳ２１３のＮｏ）、制御部４１は、受信した会員ＩＤと新たなＰＴＩＤとを関連付けて、電子レシート管理領域４３ａに記憶する（ステップＳ２１９）。
【０１３４】
また、ステップＳ２１２において、会員ＩＤとＰＴＩＤおよび企業コードを受信していないと判断した場合は（ステップＳ２１２のＮｏ）、制御部４１は、携帯端末７から電子レシート情報の照会があったか否かを判断する（ステップＳ２２０）。照会があった場合は（ステップＳ２２０のＹｅｓ）、制御部４１は、該当する電子レシート情報を照会があった携帯端末７に対して送信し閲覧できる状態にさせる（ステップＳ２２１）。携帯端末７から電子レシート情報の照会がないと判断した場合は（ステップＳ２２０のＮｏ）、制御部４１は、ステップＳ１０１に戻って待機する。
【０１３５】
一方ステップＳ２１１において、関連付けコマンドを受信していないと判断した場合は（ステップＳ２１１のＮｏ）、制御部４１は、ＰＯＳ端末１から電子レシート情報を受信したか否かを判断する（ステップＳ２２２）。
【０１３６】
受信したと判断した場合は（ステップＳ２２２のＹｅｓ）、制御部４１は、受信した電子レシート情報を電子レシート管理領域４３ａに記憶する（ステップＳ２２３）。
【０１３７】
次に、携帯端末７の制御部７１が、電子レシート対応プログラム７５ａに従って動作することにより実行される電子レシート受け取り処理及び電子レシート閲覧プログラム７５ｂに従って動作することにより実行される電子レシート閲覧処理の流れを、図２３を参照しつつ説明する。
【０１３８】
図２３に示すように、まず、携帯端末７の制御部７１は、電子レシート管理サーバ４にアクセスして、受取先の情報である会員ＩＤ及びパスワードの入力によって認証処理を実行する（ステップＳ１３１）。これにより、携帯端末７と所定の顧客の会員ＩＤとが対応付けられる。
【０１３９】
認証後、携帯端末７の制御部７１は、入力された当該会員ＩＤに対応して電子レシート管理サーバ４の電子レシート管理領域４３ａに記憶され管理されている電子レシート情報を電子レシート管理サーバ４から受信する（ステップＳ１３２）。また、電子レシート情報に付加情報が対応付けされている場合には、この付加情報についても電子レシート管理サーバ４から受信する。なお、電子レシート情報の受信については、会員マスタに記憶されているメールアドレスを用いて電子メールによって受信するものであってもよい。次に、制御部７１は、閲覧した電子レシート情報等を表示部７３に表示し（ステップＳ１３３）、処理を終了する。
【０１４０】
このような、実施形態では、会員ＩＤとＰＴＩＤとが同時に入力された場合を判断して、会員ＩＤとＰＴＩＤとを関連付けて記憶するため、例えば初回に会員ＩＤとＰＴＩＤとを関連付けて記憶させることができる。
【０１４１】
また、実施形態では、入力された会員ＩＤに基づいて、会員ＩＤとＰＴＩＤとを関連付けされたＳＲＩＤを電子レシートサーバ４から本部サーバ３を経由してストアサーバ２に出力するため、例えば携帯端末７から会員ＩＤを入力すると、ポイントカードを提示しなくても、会員ＩＤと関連するＰＴＩＤに対してポイントを付与することができる。したがって、ポイントカードを携帯しなくてもよい。
【０１４２】
また、実施形態では、入力されたＰＴＩＤに基づいて関連付けされた会員ＩＤを含むＳＲＩＤを電子レシートサーバ４から本部サーバ３を経由してストアサーバ２に出力するため、ポイントカードを提示すれば、携帯端末７から会員ＩＤを入力しなくても、関連付けられた会員ＩＤを含むＳＲＩＤを用いて電子レシート情報を受け取ることができる。したがって、携帯端末７を携帯しなくてもよい。
【０１４３】
また、実施形態では、ストアサーバ２が会員ＩＤとＰＴＩＤとを関連付けたＳＲＩＤを記憶しているため、ＰＯＳ端末１から入力された会員ＩＤを受信すると、対応する会員ＩＤと関連付けられているＰＴＩＤをＰＯＳ端末１に送信する。このため、顧客は、ポイントカードを携帯しなくてもポイント付与の特典サービスを受けることができる。
【０１４４】
また、実施形態では、ストアサーバ２が会員ＩＤとＰＴＩＤとを関連付けて記憶しているため、ＰＯＳ端末１から入力されたＰＴＩＤを受信すると、関連付けられている会員ＩＤを含むＳＲＩＤを検索し、該当する携帯端末７に対して電子レシート情報を表示部に表示可能とすることができる。このため、顧客は、携帯端末７を携帯しなくても電子レシート情報を閲覧することができる。
【０１４５】
また、実施形態によれば、入力された会員ＩＤに関連付けされたＰＴＩＤと、ポイントカードを読み取らせることで入力されたＰＴＩＤとが一致しない場合は、顧客に対して、その中の１つのＰＴＩＤを選択させ、制御部１１は、選択されたＰＴＩＤに対してポイント処理を実行する。
【０１４６】
なお、ＰＯＳ端末１は、ストアサーバ２ではなく本部サーバ３にＰＴＩＤまたは会員ＩＤの問合せをするようにしてもよい。この場合は、ＰＯＳ端末１の制御部１１が本部サーバ３に対して会員ＩＤを送信してＰＴＩＤの問合せし、本部サーバ３の制御部３１は、会員ＩＤに関連づけられたＰＴＩＤを調査する。そして制御部３１は、会員ＩＤに関連づけられたＰＴＩＤを、ＰＯＳ端末１に送信する。また、制御部１１が本部サーバ３に対してＰＴＩＤを送信して会員ＩＤの問合せをし、制御部３１は、ＰＴＩＤに関連づけられた会員ＩＤを調査する。そして制御部３１は、ＰＴＩＤに関連づけられた会員ＩＤを、ＰＯＳ端末１に送信する。
【０１４７】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【０１４８】
例えば、上記実施形態では、コード読取部１５を用いて会員ＩＤ等を入力する形態としたが、これに限らず、他の手法を用いて会員ＩＤ等を入力してもよい。具体的には、ＮＦＣ（Near  Field  Communication）やＢｌｕｅｔｏｏｔｈ（登録商標）等の近距離無線通信部をＰＯＳ端末１及び携帯端末７が備えることで、近距離無線通信により会員ＩＤ等を送受信可能な構成としてもよい。この場合、携帯端末７は、会員ＩＤ等を記憶部７５や図示しないＩＣタグ等に保持するものとする。
【０１４９】
また、上記実施形態では、ポイントカードを特定するＰＴＩＤを例に説明したが、ポイントカード以外の会員に特典を付与するカードでも適用可能である。またカード以外の媒体でも適用可能である。
【０１５０】
また、上記実施形態では、顧客端末の一例として携帯端末７を用いたが、設置型のパソコン等や、タブレット端末であってもよい。
【０１５１】
また、上記実施形態では、携帯端末７から会員ＩＤ等を入力する形態としたが、これに限らず、ＩＣカードや磁気カード等の会員ＩＤを保持することが可能な媒体から入力してもよい。なお、ＩＣカードを用いる場合には、ＰＯＳ端末１は、ＩＣカードリーダライタ等の読取／書込部を備えるものとする。また、磁気カードを用いる場合には、ＰＯＳ端末１は、磁気カードのカードリーダ／カードライタ等を備えるものとする。
【０１５２】
また、上記実施形態では、本部Ｐ２に本部サーバ３を設ける形態としたが、これに限らず、店舗Ｐ１内に、当該店舗用の本部サーバ３を設ける形態としてもよい。
【符号の説明】
【０１５３】
１  ＰＯＳ端末
２  ストアサーバ
３  本部サーバ
４  電子レシート管理サーバ
７  携帯端末
１１  制御部
１２  操作部
１３  印字部
１４  表示部
１５  コード読取部
１６  通信Ｉ／Ｆ
１７  記憶部
１１１  電子レシート特定情報入力手段
１１２  特典特定情報入力手段
１１３  指示手段
１１４  関連付け情報送信手段
１１５  電子レシート特定情報送信手段
１１６  特典特定情報受信手段
１１７  特典提供手段
１１８  特典特定情報送信手段
１１９  電子レシート特定情報受信手段
１２０  電子レシート情報送信手段
４１１  受信手段
４１２  関連付け手段
４１３  送信手段
【先行技術文献】
【特許文献】
【０１５４】
【特許文献１】特開２００７−３１６７５０号公報
【要約】
【課題】電子レシートの受取先を特定する情報と特典の付与先を特定する情報とを連携させた商品販売データ処理装置およびプログラムを提供することである。
【解決手段】実施形態のサーバーは、入力された、企業を特定する企業特定情報と商品販売に関する電子レシート情報を受け取る受取先を特定する電子レシート特定情報と前記企業が運営し顧客に特典を提供する提供先を特定するための特典特定情報とを関連付けて記憶する関連付け手段と、前記企業特定情報で特定される前記企業に係る企業サーバに対し、当該企業特定情報と関連付けられた前記電子レシート特定情報と前記特典特定情報とを送信する送信手段と、を備える。
【選択図】図７【図１】
0005740035.tif 000002
【図２】
0005740035.tif 000003
【図３】
0005740035.tif 000004
【図４】
0005740035.tif 000005
【図５】
0005740035.tif 000006
【図６】
0005740035.tif 000007
【図７】
0005740035.tif 000008
【図８】
0005740035.tif 000009
【図９】
0005740035.tif 000010
【図１０】
0005740035.tif 000011
【図１１】
0005740035.tif 000012
【図１２】
0005740035.tif 000013
【図１３】
0005740035.tif 000014
【図１４】
0005740035.tif 000015
【図１５】
0005740035.tif 000016
【図１６】
0005740035.tif 000017
【図１７】
0005740035.tif 000018
【図１８】
0005740035.tif 000019
【図１９】
0005740035.tif 000020
【図２０】
0005740035.tif 000021
【図２１】
0005740035.tif 000022
【図２２】
0005740035.tif 000023
【図２３】
0005740035.tif 000024